(57)【要約】【課題】バッフル板の面積を拡大することなく低音特性を向上させる工夫がなされたスピーカ装置およびスピーカ装置の組立セットを提供する。【解決手段】前後方向に振動する振動板２１を有したスピーカユニット２と、バッフル板３１を有し、バッフル板３１に取り付けられたスピーカユニット２における振動板２１を前方から覆うことで振動板２１の前方に伝播空間Ｓを画定する空間画定部材３２を備え、スピーカユニット２は、振動板２１から伝播空間Ｓに音波を放射するものであり、空間画定部材３２は、振動板２１に、伝播空間Ｓを介して対向した対向部３２１と、振動板２１の振動方向と交差する交差方向のいずれか一方に伝播空間Ｓを開放する開口部３１ａとを有するものであり、バッフル板３１は振動板２１の振動によって振動するものであり、対向部３２１は伝播空間Ｓに放射された音波によって振動するものである。【選択図】図１
2015192291.tif 000002
【特許請求の範囲】
【請求項１】
前後方向に振動する振動板を有したスピーカユニットと、
バッフル板を有し、該バッフル板に前記スピーカユニットが取り付けられ、取り付けられたスピーカユニットにおける前記振動板を前方から覆うことで該振動板の前方に伝播空間を画定する空間画定部材とを備え、
前記スピーカユニットは、前記振動板が振動することによって前記伝播空間に音波を放射するものであり、
前記空間画定部材は、
前記振動板に、前記伝播空間を介して対向した対向部と、
前記振動板の振動方向と交差する交差方向のいずれか一方に前記伝播空間を開放する開口部とを有するものであり、
前記バッフル板は、前記振動板の振動によって振動するものであり、
前記対向部は、前記伝播空間に放射された音波によって振動するものであることを特徴とするスピーカ装置。
【請求項２】
前記空間画定部材は、前記開口部とは反対側から該開口部に向かうに従い前記伝播空間が徐々に拡がる形状のものであり、
前記対向部は、前記開口部に向かうに従い前記バッフル板から離れていくものであることを特徴とする請求項１記載のスピーカ装置。
【請求項３】
前記バッフル板は、前記スピーカユニットが、前記開口部とは反対側寄りに取り付けられたものであることを特徴とする請求項１または２記載のスピーカ装置。
【請求項４】
前記空間画定部材は、前記バッフル板と前記対向部とを接続する接続部を有するものであり、
前記接続部は、自身の変形を促進する変形促進手段を備えたものであることを特徴とする請求項１から３のうちいずれか１項記載のスピーカ装置。
【請求項５】
前記バッフル板および前記対向部のうちの少なくとも一方は、前記開口部の一部を遮蔽可能に折り曲げられた折曲片を有するものであり、
前記折曲片は、前記バッフル板または前記対向部に張力を付与するものであることを特徴とする請求項１から４のうちいずれか１項記載のスピーカ装置。
【請求項６】
前後方向に振動する振動板を有したスピーカユニットと、
バッフル板を有し、該バッフル板に前記スピーカユニットが取り付けられ、取り付けられたスピーカユニットにおける前記振動板を前方から覆うことで該振動板の前方に伝播空間を画定する空間画定部材とを備え、
前記スピーカユニットは、前記振動板が振動することによって前記伝播空間に音波を放射するものであり、
前記空間画定部材は、
前記振動板に、前記伝播空間を介して対向した対向部と、
前記振動板の振動方向と交差する交差方向のいずれか一方に前記伝播空間を開放する開口部とを有するものであり、
前記バッフル板は、前記振動板の振動によって振動するものであり、
前記対向部は、前記伝播空間に放射された音波によって振動するものであることを特徴とするスピーカ装置の組立セット。
【発明の詳細な説明】
【技術分野】
【０００１】
振動板を有したスピーカユニットと、バッフル板とを備えたスピーカ装置、およびその組立セットに関する。
【背景技術】
【０００２】
スピーカユニットにおけるコーン紙等の振動板から前後に放射される逆位相の音波が互いに打ち消し合うことを防止するため、スピーカユニットの後側に放射される音波が前側に回り込まないように遮断するバッフル板を備えた平面バッフル型のスピーカ装置が知られている。この平面バッフル型のスピーカ装置は、バッフル板のみでスピーカユニットの後側に放射される音波が前側に回り込まないように遮断する方式であり、スピーカユニットの後側が解放され、振動板が背圧のかからない状態で振動する。このため、振動板に背圧がかかって振動板の動作が抑制されてしまう密閉型やバスレフ型と比べて、平面バッフル型のスピーカ装置は、開放感のある音の再生を楽しむことができる。しかし、スピーカユニットの後側から前側に回り込んでしまう低音域の音波を完全に遮断することが難しいため、平面バッフル型のスピーカ装置は、密閉型やバスレフ型と比べて低音域の再生能力が劣りやすい。
【０００３】
ここで、厚く堅固な板で構成していた従来のバッフル板を改良し、低音域の再生能力を向上させようと試みたスピーカ装置が提案されている（例えば、特許文献１等参照）。特許文献１記載のスピーカ装置は、エンクロージャを用いたものであるが、バッフル板の厚みを０．１ｍｍ〜９．０ｍｍにしてバッフル板をスピーカユニットの振動板の振動によって振動させ、バッフル板全体から低音域の音波を放射させるものである。特許文献１記載のスピーカ装置におけるバッフル板を、平面バッフル型のスピーカ装置のようにスピーカユニットの後側が解放されたスピーカ装置に適用し、開放感のある音の再生ができるという利点を維持しつつ低音域の再生能力を向上させることが考えられる。
【先行技術文献】
【特許文献】
【０００４】
【特許文献１】特開平１０−８４５９４号
【発明の概要】
【発明が解決しようとする課題】
【０００５】
特許文献１のスピーカ装置におけるバッフル板は、その面積（板面）を拡大すれば、低音域の音波が放射される部分の面積を拡大することができる。しかしながら、スピーカ装置を設置する場所によってはスピーカ装置の大きさが制限され、バッフル板の面積を拡大することが難しい場合がある。また、バッフル板の面積を拡大すればするほど、この拡大した部分はスピーカユニットの振動板から離れるため振動板の振動に追従して振動しにくくなってしまう。バッフル板の振動が振動板の振動に追従しないと、振動板から放射される音波とバッフル板から放射される音波との打消し合いや音の濁りが生じてしまう場合がある。
【０００６】
本発明は上記事情に鑑み、バッフル板の面積を拡大することなく低音特性を向上させる工夫がなされたスピーカ装置およびスピーカ装置の組立セットを提供することを目的とする。
【課題を解決するための手段】
【０００７】
上記目的を解決する本発明のスピーカ装置は、前後方向に振動する振動板を有したスピーカユニットと、
バッフル板を有し、該バッフル板に前記スピーカユニットが取り付けられ、取り付けられたスピーカユニットにおける前記振動板を前方から覆うことで該振動板の前方に伝播空間を画定する空間画定部材とを備え、
前記スピーカユニットは、前記振動板が振動することによって前記伝播空間に音波を放射するものであり、
前記空間画定部材は、
前記振動板に、前記伝播空間を介して対向した対向部と、
前記振動板の振動方向と交差する交差方向のいずれか一方に前記伝播空間を開放する開口部とを有するものであり、
前記バッフル板は、前記振動板の振動によって振動するものであり、
前記対向部は、前記伝播空間に放射された音波によって振動するものであることを特徴とする。
【０００８】
ここで、前記バッフル板および前記空間画定部材は、段ボール板、中空ポリカーボネイト板、中実のポリカーボネイト板、あるいはベニヤ板で構成されたものであってもよい。
【０００９】
本発明のスピーカ装置によれば、前記バッフル板が前記振動板の振動によって振動することで該バッフル板から低音域の音波（空気の振動）が放射される。また、前記振動板が振動することで前記伝播空間に放射された音波によって前記対向部も振動し、該対向部からも低音域の音波が放射される。さらに、前記伝播空間内において、前記対向部や前記バッフル板に反射した音波によっても該対向部や該バッフル板が振動して低音域の音波が放射される。これらにより、前記バッフル板の面積を拡大することなく低音特性を向上させることができる。また、前記空間画定部材は、前記振動板の振動方向と交差する交差方向のいずれか一方に前記伝播空間を開放する開口部を有するものであるため、前記振動板から放射された音波は、前記対向部や前記バッフル板に反射しながら該開口部から放出される。これにより、前記振動板に圧力がかかりにくくなり、該振動板の振動が妨げられることを防止できる。なお、前記バッフル板や前記対向部が振動することによって中高音域の音波も放射されるが、該バッフル板は前記振動板の低音域の振動で特に振動し、該対向部は該振動板から放射される低音域の音波で特に振動するため、該バッフル板や該対向部からは低音域の音波が多く放射される。
【００１０】
本発明のスピーカ装置において、前記空間画定部材は、前記開口部とは反対側から該開口部に向かうに従い前記伝播空間が徐々に拡がる形状のものであり、
前記対向部は、前記開口部に向かうに従い前記バッフル板から離れていくものであるであることが好ましい。
【００１１】
こうすることで、前記振動板から放射される、特に中高音の音波が、前記伝播空間内において前記対向部や前記バッフル板に反射しながら前記開口部から放出されやすくなる。このため、定在波が生じにくくなり、音の濁りを軽減することができる。
【００１２】
また、本発明のスピーカ装置において、前記バッフル板は、前記スピーカユニットが、前記開口部とは反対側寄りに取り付けられたものであってもよい。
【００１３】
こうすることで、前記振動板から放射される音波が、前記伝播空間内において前記対向部や前記バッフル板に反射する回数を確保しやすくなり、該対向部や該バッフル板をより振動させやすくなる。
【００１４】
さらに、本発明のスピーカ装置において、前記空間画定部材は、前記バッフル板と前記対向部とを接続する接続部を有するものであり、
前記接続部は、自身の変形を促進する変形促進手段を備えたものであってもよい。
【００１５】
前記変形促進手段によって、前記接続部が変形しやすくなり、前記対向部の振動が制限されてしまうことを抑えることができる。
【００１６】
また、本発明のスピーカ装置において、前記バッフル板および前記対向部のうちの少なくとも一方は、前記開口部の一部を遮蔽可能に折り曲げられた折曲片を有するものであり、
前記折曲片は、前記バッフル板または前記対向部に張力を付与するものであってもよい。
【００１７】
前記折曲片は、前記開口部の一部を遮蔽可能に折り曲げられたものであるため、該開口部から放出される、特に中高音域の音波を該折曲片で反射させて、該開口部から放出される音波の向きを調整することができる。また、例えば、前記折曲片を大きく折り曲げることによって、前記バッフル板や前記対向部に張力を付与し、該バッフル板や該対向部の過剰な振動を抑制することもできる。
【００１８】
上記目的を解決する本発明のスピーカ装置の組立セットは、
前後方向に振動する振動板を有したスピーカユニットと、
バッフル板を有し、該バッフル板に前記スピーカユニットが取り付けられ、取り付けられたスピーカユニットにおける前記振動板を前方から覆うことで該振動板の前方に伝播空間を画定する空間画定部材とを備え、
前記スピーカユニットは、前記振動板が振動することによって前記伝播空間に音波を放射するものであり、
前記空間画定部材は、
前記振動板に、前記伝播空間を介して対向した対向部と、
前記振動板の振動方向と交差する交差方向のいずれか一方に前記伝播空間を開放する開口部とを有するものであり、
前記バッフル板は、前記振動板の振動によって振動するものであり、
前記対向部は、前記伝播空間に放射された音波によって振動するものであることを特徴とする。
【００１９】
本発明のスピーカ装置の組立セットによれば、上記構成を採用することにより、前記バッフル板の面積を拡大することなく低音特性を向上させる工夫がなされたスピーカ装置を得ることができる。
【００２０】
なお、バッフル板には、スピーカユニットを取り付ける開口を形成してもよいし、スピーカユニットの振動板と対向する位置に、複数の小孔を形成してもよい。また、この開口または複数の小孔は、予めバッフル板に形成されていてもよいし、組立セットを組み立てる者が、後から形成してもよい。
【発明の効果】
【００２１】
本発明によれば、バッフル板の面積を拡大することなく低音特性を向上させる工夫がなされたスピーカ装置およびスピーカ装置の組立セットを提供することができる。
【図面の簡単な説明】
【００２２】
【図１】（ａ）は、本発明の一実施形態であるスピーカ装置の正面図であり、（ｂ）は、（ａ）に示すスピーカ装置のＡ−Ａ断面図である。
【図２】（ａ）は、図１（ａ）に示すスピーカ装置の背面図であり、（ｂ）は、図１（ａ）に示すスピーカ装置を上方から見た図である。
【図３】図１および図２に示すスピーカ装置の組立セットを用いた組立方法の一例を示す図である。
【図４】（ａ）は、図１および図２に示すスピーカ装置の第１変形例の正面図であり、（ｂ）は、（ａ）に示すスピーカ装置のＡ−Ａ断面図である。
【図５】（ａ）は、図１および図２に示すスピーカ装置の第２変形例の正面図であり、（ｂ）は、（ａ）に示すスピーカ装置のＡ−Ａ断面図である。
【発明を実施するための形態】
【００２３】
以下、図面を参照して本発明の実施の形態を説明する。
【００２４】
図１（ａ）は、本発明の一実施形態であるスピーカ装置の正面図であり、同図（ｂ）は、同図（ａ）に示すスピーカ装置のＡ−Ａ断面図である。また、図２（ａ）は、図１（ａ）に示すスピーカ装置の背面図であり、図２（ｂ）は、図１（ａ）に示すスピーカ装置を上方から見た図である。
【００２５】
図１および図２に示すように、スピーカ装置１は、スピーカユニット２と、振動体３と、台座４を備えている。振動体３は、バッフル板３１と空間画定部材３２を有するものであり、バッフル板３１にスピーカユニット２が取り付けられている。以下、振動体３と、この振動体３のバッフル板３１に取り付けられたスピーカユニット２とを併せて装置本体１０と称することがある。装置本体１０は、台座４に支持されるものである。
【００２６】
スピーカユニット２は、コーン紙からなる振動板２１と、振動板２１を支持するフレーム２２と、振動板２１を振動させる磁気回路部２３と、磁気回路部２３に音声信号を送る不図示のリード線を有するものである。なお、本実施形態では、スピーカユニット２として、口径が１６ｃｍのフルレンジユニットを用いている。図２（ｂ）に示すように、バッフル板３１には、開口３１ａが設けられ、この開口３１ａから振動板２１を露出させた状態でスピーカユニット２がバッフル板３１に取り付けられている。なお、開口３１ａに代えて複数の小孔を設ける態様を採用してもよい。図１（ｂ）では、装置本体１０は、スピーカユニット２が右側のやや斜め上方に向く姿勢で台座４に支持され、スピーカ装置１の右側が前側（聴取者側）になる。図１（ｂ）では、振動板２１は、フレーム２２に隠れているが、振動板２１の振動方向を直線の両矢印で示している。直線の両矢印で示すように、振動板２１は、図１（ｂ）における、右側のやや斜め上方と、左側のやや斜め下方とを結ぶ方向に振動するものである。以下、振動板２１が振動する方向を含めて、図１（ｂ）の左右方向をスピーカ装置１の前後方向と称し、図１（ｂ）の紙面と直交する方向をスピーカ装置１の左右方向と称して説明する。なお、図１（ａ）および図２（ａ）では、紙面と直交する方向がスピーカ装置１の前後方向になり、図の左右方向がスピーカ装置１の左右方向になる。また、図２（ｂ）では、図の上下方向がスピーカ装置１の前後方向になり、図の左右方向がスピーカ装置１の左右方向になる。
【００２７】
振動体３は、本実施形態では、段ボール板を折り曲げることによって構成したものである。振動体３は、ポリカーボネイトの中空板や中実の板を折り曲げることによって構成してもよく、段ボール板、ポリカーボネイトの中空板や中実の板、あるいはベニヤ板等を接合することによって構成してもよい。また、振動体３は、ポリカーボネイト等の樹脂を一体成型することによって構成してもよい。さらに、振動体３は、バッフル板３１と空間画定部材３２が、一体あるいは一体的に構成されたものであってもよいし、空間画定部材３２に対して、バッフル板３１が着脱自在に取り付けられたものであってもよい。空間画定部材３２に対して、バッフル板３１が着脱自在に取り付けられる態様を採用することにより、スピーカユニット２と併せてバッフル板３１を空間画定部材３２から取り外し、例えば、口径が異なるスピーカユニット２が取り付けられたバッフル板３１と交換することができる。
【００２８】
図２（ａ）に示すように、バッフル板３１は、略長方形状のものであり、このバッフル板３１における下側部分にスピーカユニット２が取り付けられている。バッフル板３１の大きさは特に限定されるものではないが、スピーカユニット２の口径に対して、左右方向の大きさは、１．５倍〜３．０倍程度が好ましく、高さ方向の大きさは、２．５倍〜４．０倍程度が好ましい。バッフル板３１の大きさが、上記範囲より小さくなると低音特性を向上させる効果が不十分になる場合がある。一方、バッフル板３１の大きさが、上記範囲より大きくなると、振動板２１の振動に追従して振動しない部分が生じ、振動板２１から出る音波とバッフル板３１から出る音波との打消し合いや音の濁りが生じてしまう場合がある。
【００２９】
図１および図２に示すように、空間画定部材３２は、振動体３の前側部分を構成する対向部３２１と、この対向部３２１とバッフル板３１とを接続する左右一対の接続部３２２，３２２と、対向部３２１の上端部に設けられた前側折曲片３２３を有するものである。なお、図２（ｂ）では、後述する伝播空間Ｓを示すため、前側折曲片３２３は省略している。空間画定部材３２は、その対向部３２１と左右一対の接続部３２２，３２２によって、バッフル板３１に取り付けられたスピーカユニット２の振動板２１を前方から覆い、図１（ｂ）および図２（ｂ）に示すように、振動板２１の前方の空間を画定している。以下、空間画定部材３２によって画定された空間を伝播空間Ｓと称する。また、空間画定部材３２は、その対向部３２１と左右一対の接続部３２２，３２２の上端部分に開口部３２ａを有し、この開口部３２ａによって伝播空間Ｓが開放されている。
【００３０】
図１（ａ）に示すように、対向部３２１は、略長方形状のものであり、同図（ｂ）および図２（ｂ）に示すように、対向部３２１は、伝播空間Ｓを介して振動板２１と対向している。なお、図１（ｂ）では、振動板２１がフレーム２２によって隠れている。また、対向部３２１は、その下端部分がバッフル板３１の下端部分に接続し、開口部３２ａに向かうに従いバッフル板３１から離れていくものである。図１（ｂ）に示すように、接続部３２２は、略三角形状のものであり、下端から上方に向かうに従い前後方向の長さが徐々に大きくなっている。これらにより、伝播空間Ｓは、その下端領域から開口部３２ａに向かうに従い徐々に拡がっている。すなわち、空間画定部材３２は、開口部３２ａとは反対側から開口部３２ａに向かうに従い伝播空間Ｓが徐々に拡がる形状のものである。また、接続部３２２は、上下方向に延在した折目３２２ａを有し、この折目３２２ａで屈曲することで、左右方向の外側にやや膨らんだ形状になっている。接続部３２２は、折目３２２ａで屈曲することによって変形しやいため、対向部３２１の振動が制限されてしまうことを抑えることができる。すなわち、折目３２２ａは、本発明における変形促進手段の一例に相当する。なお、接続部３２２は、折目を複数形成することで蛇腹状にしてもよい。また、一方の接続部３２２における上端部分と他方の接続部３２２における上端部分とのそれぞれの前後方向の長さを異ならせてもよい。
【００３１】
前側折曲片３２３は、図１（ｂ）に円弧状の両矢印で示すように、対向部３２１に対して前後方向に折り曲げることができるものであり、対向部３２１に対する角度調整が可能である。また、前側折曲片３２３を後側に折り曲げることによって開口部３２ａの一部を遮蔽することができ、前側折曲片３２３を大きく折り曲げることによって対向部３２１に張力を付与することもできる。バッフル板３１は、前後方向に折り曲げることができる後側折曲片３１１を有している。なお、図２（ｂ）では、伝播空間Ｓを示すため後側折曲片３１１も省略している。後側折曲片３１１は、図１（ｂ）に円弧状の両矢印で示すように、バッフル板３１に対して折り曲げることができるものであり、バッフル板３１に対する角度調整が可能である。また、後側折曲片３１１を前側に折り曲げることによって開口部３２ａの一部を遮蔽することができ、後側折曲片３１１を大きく折り曲げることによってバッフル板３１に張力を付与することもできる。さらに、前側折曲片３２３と後側折曲片３１１の折り曲げ角度を調整することによって、開口部３２ａにおける上方に開放した開口面積の調整が可能である。
【００３２】
台座４は、前後方向に延在した左右一対の載置部材４１，４１と、これら左右一対の載置部材４１，４１を連結する２つの連結部材４２，４２と、それぞれの載置部材４１の前側部分において上方に突出した突起部４３と、例えば針金からなる２つの支持部材４４，４４を有している。図１（ａ）および同図（ｂ）に示すように、装置本体１０は、その下端部分の前側を突起部４３に当接させた状態で載置部材４１，４１に載置されている。また、支持部材４４の一端側部分が、スピーカユニット２の、フレーム２２と磁気回路部２３との連結部分に巻回され、支持部材４４の他端側部分が載置部材４１に巻回されることによって、スピーカユニット２が後側から支持部材４４，４４に支持されている。これにより、本実施形態では、対向部３２１が略垂直な姿勢に維持され、バッフル板３１と振動板２１が、開口部３２ａに向かうに従い後側に傾斜した姿勢に維持されている。なお、台座４は、装置本体１０を所定の姿勢に維持することができる構造であれば、特に限定されるものではなく、例えば支持部材４４に代えて、スピーカユニット２を支える台状の部材を用いてもよい。
【００３３】
図１および図２に示す本実施形態のスピーカ装置１は、例えば聴取者自身が、スピーカ装置１の構成部品を組み立てて完成させる、スピーカ装置１の組立セットとすることもできる。
【００３４】
図３は、図１および図２に示すスピーカ装置の組立セットを用いた組立方法の一例を示す図である。図１および図２も参照しながら、図３を用いて本発明のスピーカ装置の組立セットの組立方法を説明する。
【００３５】
図３（ａ）に示すように、初めに、振動体３のバッフル板３１に、スピーカユニット２をボルトとナットを用いて取り付け、装置本体１０を組み立てる。図２（ｂ）に示す、バッフル板３１の開口３１ａは、バッフル板３１に予め設けておいてもよいし、組み立てる者が形成してもよい。また、振動体３は、折り曲げることによって振動体３の形状になる段ボール板等と接合部材を用意し、組み立てる者が、その段ボール板等を折り曲げ接合部材で接合することによって、振動体３を作成する態様としてもよい。
【００３６】
次に、図３（ｂ）に示すように、装置本体１０を、その下端部分の前側が台座４の突起部４３に当接するように載置部材４１に載置する。
【００３７】
最後に、図３（ｃ）に示すように、対向部３２１が略垂直になる状態で、支持部材４４の一端側部分を、スピーカユニット２の、フレーム２２と磁気回路部２３との連結部分に巻回し、支持部材４４の他端側部分を載置部材４１に巻回する。これによって、スピーカユニット２が後側から支持部材４４，４４に支持され、スピーカ装置１の組立が完了する。なお、図３に示す、スピーカ装置１の組立セットの組立方法は一例であり、この組立方法に限定されるものではない。
【００３８】
図１および図２を用いて、スピーカ装置１の再生状態を説明する。図示しないアンプから送られた音声信号に基づいて磁気回路部２３が振動板２１を振動させると、振動板２１の振動がフレーム２２を介してバッフル板３１に伝わる。これにより、振動板２１の振動に追従してバッフル板３１が振動する。バッフル板３１が振動することで、バッフル板３１が振動板２１の延長状態を作り出して、バッフル板３１の全体から音波が放射される。振動板２１が振動することによって振動板２１から放射された音波は、伝播空間Ｓの空気中を伝播して対向部３２１を振動させ、これによって対向部３２１からも音波が放射される。さらに、振動板２１から放射された音波は、伝播空間Ｓ内において対向部３２１とバッフル板３１に反射するため、これによっても対向部３２１とバッフル板３１それぞれが振動し音波が放射される。ここで、スピーカユニット２は、バッフル板３１における、開口部３２ａとは反対側寄りとなる下側部分に取り付けられているため、振動板２１から放射された音波が伝播空間Ｓ内において対向部３２１やバッフル板３１に反射する回数を確保しやすくなる。また、接続部３２２は、折目３２２ａを有するため、この折目３２２ａによって接続部３２２が変形しやすくなり、対向部３２１の振動が制限されてしまうことを抑えることができる。対向部３２１とバッフル板３１は、振動板２１の低音域の振動や振動板２１から放射された低音域の音波で特に振動するため、対向部３２１とバッフル板３１それぞれから低音域の音波が多く放射される。この結果、スピーカ装置１の低音特性を向上させることができる。なお、低音域の音波は指向性が鈍いため、振動板２１から放射された低音域の音波が伝播空間Ｓの空気中を伝播して接続部３２２を振動させ、接続部３２２からも低音域の音波が放射される場合がある。
【００３９】
図１（ｂ）では、振動板２１から放射される、指向性が鋭い中高音域の音波を点線の矢印で模式的に示している。前述したように、本実施形態では、対向部３２１は、下端側から開口部３２ａに向かうに従いバッフル板３１から離れていくものであり、空間画定部材３２は、下端側から開口部３２ａに向かうに従い伝播空間Ｓが徐々に拡がる形状のものである。このため、振動板２１から放射される中高音域の音波は、対向部３２１とバッフル板３１とに反射しながら、開口部３２ａから放出される。これにより、定在波が生じにくくなり、音の濁りも軽減することができる。また、対向部３２１に反射した中高音域の音波がそのまま振動板２１に戻ることがなくなり、振動板２１に圧力がかかってしまうことを防ぐことができる。
【００４０】
開口部３２ａから放出された中高音域の音波は、前側折曲片３２３や後側折曲片３１１に反射する。前側折曲片３２３や後側折曲片３１１の折り曲げ角度を変更することによって、中高音域の音波の向きを調整することができる。また、前側折曲片３２３を大きく折り曲げることによって対向部３２１に張力を付与することができ、後側折曲片３１１を大きく折り曲げることによってバッフル板３１に張力を付与することができる。これにより、対向部３２１やバッフル板３１の過剰な振動を抑えることができる。
【００４１】
次に、図１および図２に示すスピーカ装置１の変形例について説明する。これより後の説明では、図１および図２に示すスピーカ装置１との相違点を中心に説明し、これまで説明した構成要素の名称と同じ名称の構成要素には、これまで用いた符号を付して説明し、重複する説明は省略することがある。
【００４２】
図４（ａ）は、図１および図２に示すスピーカ装置の第１変形例の正面図であり、図４（ｂ）は、同図（ａ）に示すスピーカ装置のＡ−Ａ断面図である。
【００４３】
図４（ａ）および同図（ｂ）に示すように、第１変形例のスピーカ装置１では、空間画定部材３２は、対向部３２１と接続部３２２を有するものであり、図１および図２に示す前側折曲片３２３を有していない。対向部３２１は、左右方向と上下方向それぞれに、前側が凸になるように湾曲した形状のものである。バッフル板３１は、左右方向と上下方向それぞれに、後側が凸になるように湾曲した形状のものであるが、スピーカユニット２が取り付けられる部分は平面状になっている。また、バッフル板３１は、図１および図２に示す後側折曲片３１１を有していない。なお、対向部３２１に、図１および図２に示す前側折曲片３２３を設けてもよく、バッフル板３１に、図１および図２に示す後側折曲片３１１を設けてもよい。対向部３２１とバッフル板３１は、上下方向に延在した左右一対の接続部３２２によって接続されている。これにより、横断面が略紡錘形状の伝播空間Ｓが空間画定部材３２によって画定されている。
【００４４】
なお、第１変形例のスピーカ装置１において、対向部３２１とバッフル板３１のうちいずれか一方を平板状にした態様を採用することもできる。また、図１および図２に示す三角形状の接続部３２２によって、対向部３２１とバッフル板３１とを接続してもよい。さらに、円筒状の部材の下端部分をつぼめることによって振動体３を形成し、横断面が略楕円状の伝播空間Ｓが画定される態様としてもよい。
【００４５】
図５（ａ）は、図１および図２に示すスピーカ装置の第２変形例の正面図であり、図５（ｂ）は、同図（ａ）に示すスピーカ装置のＡ−Ａ断面図である。
【００４６】
図５（ａ）に示すように、第２変形例のスピーカ装置１における対向部３２１は、下端側から開口部３２ａに向かうに従い左右方向の大きさが徐々に大きくなる略台形状のものである。また、バッフル板３１も同様に、下端側から開口部３２ａに向かうに従い左右方向の大きさが徐々に大きくなる略台形状のものである。これにより、伝播空間Ｓは、下端側から開口部３２ａに向かうに従い、前後方向と左右方向に拡がっている。
【００４７】
なお、第２変形例のスピーカ装置１において、対向部３２１とバッフル板３１それぞれの下端部分を延長し、下端に頂点を有する三角形状にした態様を採用してもよい。
【００４８】
以上説明したように、本実施形態のスピーカ装置１およびその組立セットによれば、バッフル板３１の面積を拡大することなく低音特性を向上させることができる。
【００４９】
本発明は上述の実施の形態に限られることなく特許請求の範囲に記載した範囲で種々の変更を行うことが出来る。例えば、第１変形例および第２変形例については、完成品としてのスピーカ装置１として説明したが、スピーカ装置１の構成部品を有するスピーカ装置１の組立セットとしてもよい。また、上記実施形態および変形例では、開口部３２ａが上方に開放した姿勢で、装置本体１０を台座４に支持させているが、開口部３２ａが、斜め上方、横方向あるいは斜め下方等に開放した姿勢で、装置本体１０を台座４に支持させてもよい。さらに、上記実施形態および変形例では、スピーカユニット２としてフルレンジのスピーカユニットを用いているが、スピーカユニット２として低音域用のスピーカユニットを用い、中高音域用のスピーカユニットを前側折曲片３２３等に取り付けてもよい。
【００５０】
なお、以上説明した実施形態や各変形例の記載それぞれにのみ含まれている構成要件であっても、その構成要件を実施形態や他の変形例に適用してもよい。
【符号の説明】
【００５１】
１    スピーカ装置
２    スピーカユニット
２１    振動板
３１    バッフル板
３１１    後側折曲片
３２    空間画定部材
３２ａ    開口部
３２１    対向部
３２２    接続部
３２２ａ    折目
３２３    前側折曲片
４    台座
【図１】
2015192291.tif 000003
【図２】
2015192291.tif 000004
【図３】
2015192291.tif 000005
【図４】
2015192291.tif 000006
【図５】
2015192291.tif 000007
【手続補正書】
【提出日】平成27年4月22日(2015.4.22)
【手続補正１】
【補正対象書類名】特許請求の範囲
【補正対象項目名】請求項１
【補正方法】変更
【補正の内容】
【請求項１】
前後方向に振動する振動板を有したスピーカユニットと、
バッフル板を有し、該バッフル板に前記スピーカユニットが取り付けられ、取り付けられたスピーカユニットにおける前記振動板を前方から覆うことで該振動板の前方に伝播空間を画定する空間画定部材とを備え、
前記スピーカユニットは、前記振動板が振動することによって前記伝播空間に音波を放射するものであり、
前記空間画定部材は、
前記振動板に、前記伝播空間を介して対向した対向部と、
前記振動板の振動方向と交差する交差方向のいずれか一方に前記伝播空間を開放する開口部とを有するものであり、
前記バッフル板は、後方が開放され前記振動板の振動によって振動することで低音域の音波を放射するものであり、
前記対向部は、前方が開放され前記伝播空間に放射された音波によって振動することで低音域の音波を放射するものであることを特徴とするスピーカ装置。
【手続補正２】
【補正対象書類名】特許請求の範囲
【補正対象項目名】請求項６
【補正方法】変更
【補正の内容】
【請求項６】
前後方向に振動する振動板を有したスピーカユニットと、
バッフル板を有し、該バッフル板に前記スピーカユニットが取り付けられ、取り付けられたスピーカユニットにおける前記振動板を前方から覆うことで該振動板の前方に伝播空間を画定する空間画定部材とを備え、
前記スピーカユニットは、前記振動板が振動することによって前記伝播空間に音波を放射するものであり、
前記空間画定部材は、
前記振動板に、前記伝播空間を介して対向した対向部と、
前記振動板の振動方向と交差する交差方向のいずれか一方に前記伝播空間を開放する開口部とを有するものであり、
前記バッフル板は、後方が開放され前記振動板の振動によって振動することで低音域の音波を放射するものであり、
前記対向部は、前方が開放され前記伝播空間に放射された音波によって振動することで低音域の音波を放射するものであることを特徴とするスピーカ装置の組立セット。
【手続補正３】
【補正対象書類名】明細書
【補正対象項目名】０００７
【補正方法】変更
【補正の内容】
【０００７】
上記目的を解決する本発明のスピーカ装置は、前後方向に振動する振動板を有したスピーカユニットと、
バッフル板を有し、該バッフル板に前記スピーカユニットが取り付けられ、取り付けられたスピーカユニットにおける前記振動板を前方から覆うことで該振動板の前方に伝播空間を画定する空間画定部材とを備え、
前記スピーカユニットは、前記振動板が振動することによって前記伝播空間に音波を放射するものであり、
前記空間画定部材は、
前記振動板に、前記伝播空間を介して対向した対向部と、
前記振動板の振動方向と交差する交差方向のいずれか一方に前記伝播空間を開放する開口部とを有するものであり、
前記バッフル板は、後方が開放され前記振動板の振動によって振動することで低音域の音波を放射するものであり、
前記対向部は、前方が開放され前記伝播空間に放射された音波によって振動することで低音域の音波を放射するものであることを特徴とする。
【手続補正４】
【補正対象書類名】明細書
【補正対象項目名】００１８
【補正方法】変更
【補正の内容】
【００１８】
上記目的を解決する本発明のスピーカ装置の組立セットは、
前後方向に振動する振動板を有したスピーカユニットと、
バッフル板を有し、該バッフル板に前記スピーカユニットが取り付けられ、取り付けられたスピーカユニットにおける前記振動板を前方から覆うことで該振動板の前方に伝播空間を画定する空間画定部材とを備え、
前記スピーカユニットは、前記振動板が振動することによって前記伝播空間に音波を放射するものであり、
前記空間画定部材は、
前記振動板に、前記伝播空間を介して対向した対向部と、
前記振動板の振動方向と交差する交差方向のいずれか一方に前記伝播空間を開放する開口部とを有するものであり、
前記バッフル板は、後方が開放され前記振動板の振動によって振動することで低音域の音波を放射するものであり、
前記対向部は、前方が開放され前記伝播空間に放射された音波によって振動することで低音域の音波を放射するものであることを特徴とする。